(57)【特許請求の範囲】
【請求項１】
着色剤、水および水溶性有機溶剤を含むインクジェット記録用水性インクであって、
さらに、化学式（１）で表されるポリエーテルアミンを含み、
前記ポリエーテルアミンの配合量が、前記水性インク全量に対し、３５重量％以上であることを特徴とするインクジェット記録用水性インク。
【化１】
0005672440.tif 000005
化学式（１）において、
Ｒ１は、炭素原子数１〜４のアルキル基であり、前記炭素原子数１〜４のアルキル基は置換基を有してもよく、直鎖でも分岐鎖でもよく、
Ｒ２、Ｒ３およびＲ４は、それぞれ、炭素原子数１〜４のアルキレン基であり、前記炭素原子数１〜４アルキレン基は置換基を有してもよく、直鎖でも分岐鎖でもよく、Ｒ２、Ｒ３およびＲ４は互いに同一でも異なっていてもよく、
ｍ、ｎおよびｏは、それぞれ、１〜５の整数である。
【請求項２】
前記ポリエーテルアミンが、化学式（２）で表されるポリエーテルアミンである請求項１記載のインクジェット記録用水性インク。
【化２】
0005672440.tif 000006
化学式（２）において、
ｍ、ｎおよびｏは、それぞれ、１〜５の整数である。
【請求項３】
前記ポリエーテルアミンの配合量が、前記水性インク全量に対し、３８重量％〜５０重量％である請求項１または２記載のインクジェット記録用水性インク。
【請求項４】
記録媒体に水性インクをインクジェット方式により吐出して記録を行うインクジェット記録方法であって、
前記水性インクとして、請求項１〜３のいずれか一項に記載のインクジェット記録用水性インクを用いることを特徴とするインクジェット記録方法。
【請求項５】
インク収容部およびインク吐出手段を含み、前記インク収容部に収容されたインクを前記インク吐出手段によって吐出するインクジェット記録装置であって、
前記インク収容部に、請求項１〜３のいずれか一項に記載のインクジェット記録用水性インクが収容されていることを特徴とするインクジェット記録装置。
【発明の詳細な説明】
【技術分野】
【０００１】
本発明は、インクジェット記録用水性インク、インクジェット記録方法およびインクジェット記録装置に関する。
【背景技術】
【０００２】
水性インクを用いたインクジェット記録では、記録物にカールが生じることがある。この問題を解決するものとして、カールを抑制可能なトリメチロールプロパン（ＴＭＰ）を配合した水性インクが提案されている（特許文献１および２）。また、前記カールを抑制するものとして、水の配合量を減らしたインクが提案されている。
【先行技術文献】
【特許文献】
【０００３】
【特許文献１】特開２０１０−１５５９０８号公報
【特許文献２】特開２００４−２１０９０２号公報
【発明の概要】
【発明が解決しようとする課題】
【０００４】
しかし、ＴＭＰを配合した前記水性インクは、カールの抑制が充分でない。また、水の配合量を減らした前記インクには、増粘の問題がある。
【０００５】
そこで、本発明は、記録物のカールを充分に抑制可能で、増粘することもないインクジェット記録用水性インクを提供することを目的とする。
【課題を解決するための手段】
【０００６】
前記目的を達成するために、本発明のインクジェット記録用水性インクは、
着色剤、水および水溶性有機溶剤を含むインクジェット記録用水性インクであって、
さらに、化学式（１）で表されるポリエーテルアミンを含むことを特徴とする。
【化１】
0005672440.tif 000002
化学式（１）において、
Ｒ１は、炭素原子数１〜４のアルキル基であり、前記炭素原子数１〜４のアルキル基は置換基を有してもよく、直鎖でも分岐鎖でもよく、
Ｒ２、Ｒ３およびＲ４は、それぞれ、炭素原子数１〜４のアルキレン基であり、前記炭素原子数１〜４のアルキレン基は置換基を有してもよく、直鎖でも分岐鎖でもよく、Ｒ２、Ｒ３およびＲ４は互いに同一でも異なっていてもよく、
ｍ、ｎおよびｏは、それぞれ、１〜５の整数である。
【発明の効果】
【０００７】
本発明のインクジェット記録用水性インクは、記録物のカールを充分に抑制可能であり、水を減らす必要がないため、増粘することもない。
【図面の簡単な説明】
【０００８】
【図１】図１は、本発明のインクジェット記録装置の一例の構成を示す模式図である。
【発明を実施するための形態】
【０００９】
本発明において、「カール」は、記録直後に記録物を記録面を下にして平らな台上にのせたときに記録物の４隅が浮き上がるマイナスカール（以下、「直後カール」と言う）と、記録から一定期間（例えば、１日以上）経過するまで記録物を記録面を上にして平らな台上にのせたときに記録物の４隅が浮き上がるプラスカール（以下、「長期カール」と言う）とを含む。本発明のインクジェット水性インクによれば、前記直後カールと前記長期カールの双方を抑制可能である。
【００１０】
本発明のインクジェット記録用水性インク（以下、単に「水性インク」または「インク」と言うことがある）について説明する。本発明の水性インクは、着色剤、水および水溶性有機溶剤を含む。前記着色剤は、特に限定されず、顔料または染料のいずれであってもよい。また、前記着色剤として、顔料および染料を混合して用いてもよい。
【００１１】
前記顔料は、例えば、カーボンブラック、無機顔料および有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料；ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６および７；Ｃ．Ｉ．ピグメントイエロー１、２、３、１２、１３、１４、１５、１６、１７、５５、７８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等があげられる。
【００１２】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基およびそれらの塩の少なくとも一種が、直接または他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料および有機顔料のいずれも使用することができる。また、前記処理を行うのに適した顔料としては、例えば、三菱化学（株）製の「ＭＡ８」および「ＭＡ１００」、デグサ社製の「カラーブラックＦＷ２００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」および「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」および「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１３】
前記水性インク全量に対する前記顔料の固形分配合量（顔料固形分量）は、特に限定されず、例えば、所望の光学濃度または色彩等により、適宜決定できる。前記顔料固形分量は、例えば、０．１重量％〜２０重量％であり、好ましくは、１重量％〜１０重量％であり、より好ましくは、２重量％〜８重量％である。
【００１４】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレットおよびＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４および１６８等があげられる。前記Ｃ．Ｉ．ダイレクトブルーとしては、例えば、Ｃ．Ｉ．ダイレクトブルー６、２２、２５、７１、８６、９０、１０６および１９９等があげられる。前記Ｃ．Ｉ．ダイレクトレッドとしては、例えば、Ｃ．Ｉ．ダイレクトレッド１、４、１７、２８、８３および２２７等があげられる。前記Ｃ．Ｉ．ダイレクトイエローとしては、例えば、Ｃ．Ｉ．ダイレクトイエロー１２、２４、２６、８６、９８、１３２、１４２および１７３等があげられる。前記Ｃ．Ｉ．ダイレクトオレンジとしては、例えば、Ｃ．Ｉ．ダイレクトオレンジ３４、３９、４４、４６および６０等があげられる。前記Ｃ．Ｉ．ダイレクトバイオレットとしては、例えば、Ｃ．Ｉ．ダイレクトバイオレット４７および４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２および１１８等があげられる。前記Ｃ．Ｉ．アシッドブルーとしては、例えば、Ｃ．Ｉ．アシッブルー９、２２、４０、５９、９３、１０２、１０４、１１７、１２０、１６７、２２９および２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５および３１７等があげられる。前記Ｃ．Ｉ．アシッドイエローとしては、例えば、Ｃ．Ｉ．アシッドイエロー１１、１７、２３、２５、２９、４２、６１および７１等があげられる。前記Ｃ．Ｉ．アシッドオレンジとしては、例えば、Ｃ．Ｉ．アシッドオレンジ７および１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８および２９等があげられる。前記Ｃ．Ｉ．ベーシックレッドとしては、例えば、Ｃ．Ｉ．ベーシックレッド１、２、９、１２、１３、１４および３７等があげられる。前記Ｃ．Ｉ．ベーシックバイオレットとしては、例えば、Ｃ．Ｉ．ベーシックバイオレット７、１４および２７等があげられる。前記Ｃ．Ｉ．フードブラックとしては、例えば、Ｃ．Ｉ．フードブラック１および２等があげられる。
【００１５】
前記水性インク全量に対する前記染料の配合量は、特に限定されず、例えば、０．１重量％〜２０重量％であり、好ましくは、０．３重量％〜１０重量％である。
【００１６】
前記着色剤は、１種類を単独で用いてもよいし、２種類以上を併用してもよい。
【００１７】
前記水は、イオン交換水または純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。前述のとおり、本発明の水性インクは、水を減らす必要がないため、増粘することがない。
【００１８】
前記水溶性有機溶剤としては、例えば、インクジェットヘッドのノズル先端部における水性インクの乾燥を防止する湿潤剤および記録媒体上での乾燥速度を調整する浸透剤があげられる。
【００１９】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２０】
前記水性インク全量に対する前記湿潤剤の配合量は、例えば、０重量％〜９５重量％である。
【００２１】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよいし、２種類以上を併用してもよい。
【００２２】
前記水性インク全量に対する前記浸透剤の配合量は、例えば、０重量％〜２０重量％であり、好ましくは、０．１重量％〜１５重量％であり、より好ましくは、０．５重量％〜１０重量％である。
【００２３】
前述のとおり、前記水性インクは、さらに、化学式（１）で表されるポリエーテルアミンを含む。化学式（１）で表される前記ポリエーテルアミンを含むことにより、前記直後カールおよび前記長期カールの双方を抑制可能となる。
【００２４】
化学式（１）において、Ｒ１は、炭素原子数１〜４のアルキル基である。前記炭素原子数１〜４のアルキル基は、直鎖でも分岐鎖でもよく、メチル基、エチル基、ｎ−プロピル基、イソプロピル基、ｎ−ブチル基、ｓｅｃ−ブチル基、イソブチル基、ｔｅｒｔ−ブチル基があげられる。前記炭素原子数１〜４のアルキル基は、ハロゲン原子等の置換基を有してもよい。
【００２５】
化学式（１）において、Ｒ２、Ｒ３およびＲ４は、それぞれ、炭素原子数が１〜４のアルキレン基である。前記炭素原子数１〜４のアルキレン基としては、例えば、メチレン基、エチレン基、プロピレン基、ブチレン基等があげられる。前記炭素原子数１〜４のアルキレン基は、ハロゲン原子等の置換基を有してもよく、直鎖でも分岐鎖でもよい。化学式（１）において、Ｒ２、Ｒ３およびＲ４は互いに同一でも異なっていてもよい。
【００２６】
前記ポリエーテルアミンは、化学式（２）で表されるポリエーテルアミンであることが好ましい。
【化２】
0005672440.tif 000003
【００２７】
化学式（１）および化学式（２）において、ｍ、ｎおよびｏは、それぞれ、１〜５の整数である。
【００２８】
前記ポリエーテルアミンの分子量は、例えば、２００〜１３００であり、好ましくは、３００〜１１００である。
【００２９】
前記ポリエーテルアミンとしては、例えば、ＢＡＳＦ社製のＰｏｌｙｅｔｈｅｒａｍｉｎｅ  Ｔ  ４０３（商品名）等があげられる。前記ポリエーテルアミンは、１種類を単独で用いてもよいし、２種類以上を併用してもよい。
【００３０】
前記水性インク全量に対する前記ポリエーテルアミンの配合量は、特に制限されないが、３５重量％以上であることが好ましい。前記ポリエーテルアミンの配合量を３５重量％以上とすることで、前記直後カールをより好適に抑制可能となる。前記ポリエーテルアミンの配合量は、より好ましくは、３８重量％〜５０重量％である。
【００３１】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤としては、例えば、ポリビニルアルコール、セルロース、水溶性樹脂等があげられる。
【００３２】
前記水性インクは、例えば、着色剤、水、水溶性有機溶剤および前記ポリエーテルアミンと、必要に応じて他の添加成分とを、従来公知の方法で均一に混合し、フィルタ等で不溶解物を除去することにより調製できる。
【００３３】
なお、前記ポリエーテルアミンは、顔料を用いた水性インクの記録画像の光学濃度（ＯＤ値）を向上させるための処理液に含ませてもよい。このような処理液は、例えば、前記ポリエーテルアミン、顔料凝集剤（例えば、ポリアリルアミン等）、および水を含む。前記処理液は、顔料水性インクによる記録の前に、記録用紙に付与されることが好ましい。
【００３４】
つぎに、本発明のインクジェット記録用水性インクは、インクカートリッジとして提供することも可能である。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００３５】
つぎに、本発明のインクジェット記録方法およびインクジェット記録装置について説明する。
【００３６】
本発明のインクジェット記録方法は、記録媒体に水性インクをインクジェット方式により吐出して記録を行うインクジェット記録方法であって、前記水性インクとして、本発明のインクジェット記録用水性インクを用いることを特徴とする。
【００３７】
本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００３８】
本発明のインクジェット記録方法は、例えば、本発明のインクジェット記録装置を用いて実施可能である。前記記録は、印字、印画、印刷等を含む。
【００３９】
本発明のインクジェット記録装置は、例えば、ライン型インクジェットヘッドが搭載されたインクジェット記録装置であってもよいし、シリアル型インクジェットヘッドが搭載されたインクジェット記録装置であってもよい。前記ライン型インクジェット記録装置とは、記録媒体の幅以上の記録幅を持つライン型インクジェットヘッドを用い、前記インクジェットヘッドを固定した状態で前記記録媒体の幅方向の記録を一括して行うことができるインクジェット記録装置である。これに対し、前記シリアル型インクジェット記録装置では、インクジェットヘッド自体が前記記録媒体の記録面の幅方向に移動しながら記録を行う。前記ライン型インクジェット記録装置は、前記シリアル型インクジェット記録装置と比較して、格段に記録速度が速い。本発明のインクジェット記録用水性インクは、前記直後カールを抑制可能であるので、前記ライン型インクジェット記録装置による高速記録に適用可能である。
【００４０】
図１の模式図に、本発明のインクジェット記録装置の一例の構成を示す。本例のインクジェット記録装置１０１は、前記ライン型インクジェットヘッドを搭載する。図示のとおり、このインクジェット記録装置１０１は、４つのインクカートリッジ１と、４つのインク吐出手段（インクジェットヘッド）２と、給紙部１１と、排紙部１２と、ベルト搬送機構１３と、前記インクジェット記録装置１０１全体を制御する制御装置１６とを主要な構成要素として含む。前記給紙部１１は、前記ベルト搬送機構１３の一方の側（図１においては左側）に配置されている。前記排紙部１２は、前記ベルト搬送機構１３の他方の側（図１においては右側）に配置されている。
【００４１】
前記インクジェット記録装置１０１の内部には、前記給紙部１１から前記ベルト搬送機構１３を介し、前記排紙部１２に向かって記録媒体（例えば、記録用紙）Ｐを搬送する用紙搬送経路が形成されている。この記録用紙Ｐが搬送される方向を、用紙搬送方向Ｘとする。前記給紙部１１は、用紙ストッカ１１ａと、ピックアップローラ１１ｃとを含む。前記用紙ストッカ１１ａは、その内部に記録用紙Ｐを積層した状態で収容するものであり、その上面に開口部が形成されている。前記用紙ストッカ１１ａは、前記用紙搬送方向Ｘの下流側（図１においては右側、以下、単に「下流側」とする）に向かって傾斜した状態で配置されている。前記用紙ストッカ１１ａ内には、底面から上方開口部に向かって、バネ１１ｄにより付勢された支持板１１ｂが配置されている。この支持板１１ｂ上に前記記録用紙Ｐが積層されている。前記ピックアップローラ１１ｃは、載置モータ（図示せず）により駆動されることで、前記用紙ストッカ１１ａ内に積層された前記記録用紙Ｐを上から一枚ずつピックアップする（取り出す）とともに、ピックアップした前記記録用紙Ｐを下流側に送り出すものである。前記給紙部１１のすぐ下流側には、用紙検知センサ５９が配置されている。前記用紙検知センサ５９は、送り出された前記記録用紙Ｐが、前記ベルト搬送機構１３の前記用紙搬送方向Ｘのすぐ上流側（図１においては左側）に位置する記録待機位置Ａに到達したか否かを検知するためのものであり、前記記録待機位置Ａにある前記記録用紙Ｐの下流側の端部を検知することができるように調整されている。送り出された前記記録用紙Ｐは、前記記録待機位置Ａを通過して、前記ベルト搬送機構１３に搬送される。
【００４２】
前記ベルト搬送機構１３は、２つのベルトローラ６および７と、搬送ベルト８と、プラテン１５と、搬送モータ（図示せず）とを含む。前記搬送ベルト８は、前記２つのベルトローラ６および７の間に掛け渡されるように巻き回されたエンドレスベルトである。前記搬送ベルト８の外側の面を、外周面８ａとする。前記プラテン１５は、前記搬送ベルト８により囲まれた領域内において、後述の４つのインクジェットヘッド２と対向する位置に配置されている。前記プラテン１５は、前記４つのインクジェットヘッド２と対向する領域において、前記搬送ベルト８が下方に撓まないように前記搬送ベルト８を支持するものである。前記ベルトローラ７と対向する位置には、ニップローラ４が配置されている。前記ニップローラ４は、前記ベルト搬送機構１３に搬送された前記記録用紙Ｐが、前記外周面８ａに載置されたときに、この記録用紙Ｐを外周面８ａに押さえつけるものである。前記搬送モータが、前記ベルトローラ６を回転させると、前記搬送ベルト８が駆動（回転）する。これにより、前記搬送ベルト８が、押さえつけられた前記記録用紙Ｐを粘着保持しつつ、前記排紙部１２に向けて搬送する。前記搬送ベルト８のすぐ下流側には、剥離機構１４が設けられている。前記剥離機構１４は、前記外周面８ａに粘着されている記録用紙Ｐを、前記外周面８ａから剥離して、前記排紙部１２に向けて送るように構成されている。
【００４３】
前記４つのインクカートリッジ１は、イエロー、マゼンタ、シアンおよびブラックの４色の水性インクを、それぞれ１色ずつ含む。前記４つのインクカートリッジ１は、前記用紙搬送方向Ｘに沿って、前記ベルト搬送機構１３上に並べて固定されている。前記４つのインクカートリッジ１は、それぞれ、その下端にインクジェットヘッド２を有する。前記搬送ベルト８によって搬送される前記記録用紙Ｐが、前記４つのインクジェットヘッド２のすぐ下方を順に通過する際に、この記録用紙Ｐの上面、すなわち、記録面に形成された記録領域に向けて、インク吐出面２ａからインク滴が吐出される。これにより、前記記録用紙Ｐの記録領域に所望の画像を形成することができる。
【実施例】
【００４４】
つぎに、本発明の実施例について比較例と併せて説明する。なお、本発明は、下記の実施例および比較例により限定および制限されない。
【００４５】
［実施例１〜１１および比較例１〜４］
水性インク組成（表１）における、自己分散型顔料の水分散体を除く成分を、均一に混合しインク溶媒を得た。つぎに、前記自己分散型顔料の水分散体に前記インク溶媒を加え、均一に混合した。その後、得られた混合物を、東洋濾紙（株）製のセルロースアセテートタイプメンブレンフィルタ（孔径３．００μｍ）でろ過することで、実施例１〜１１および比較例１〜４のインクジェット記録用水性インクを得た。
【００４６】
［実施例１２］
水性インク組成（表１）における各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、実施例１２のインクジェット記録用水性インクを得た。
【００４７】
実施例および比較例の水性インクについて、（ａ）直後カール評価、（ｂ）長期カール評価および（ｃ）総合評価を、下記の方法により行った。
【００４８】
（ａ）直後カール評価
バーコーター（（株）安田精機製作所製のバーコーターのロッドＮｏ．３）を用いて、Ａ４サイズ（２９７ｍｍ×２１０ｍｍ）の普通紙上に、実施例および比較例の水性インクを塗布した。塗布後の前記普通紙を、平らな台上に塗布面を下にしてのせて、塗布から１０秒後、１分後および３分後の前記普通紙の４隅の浮き上がり高さを測定し、直後カールを、下記の評価基準に従って評価した。なお、バーコーターによる全面塗布で直後カールが抑制されていれば、インクジェット記録においても、直後カールを抑制可能と判断できる。
【００４９】
直後カール評価（１０秒後、１分後および３分後）  評価基準
Ａ：４隅で最も浮いている箇所の浮き上がり高さが３０ｍｍ未満であった
Ｂ：４隅で最も浮いている箇所の浮き上がり高さが３０ｍｍ以上５０ｍｍ未満であった
Ｃ：４隅で最も浮いている箇所の浮き上がり高さが５０ｍｍ以上であった
【００５０】
直後カール評価（全体）  評価基準
Ａ  ：１０秒後、１分後および３分後の評価結果が、いずれもＡであった
Ｂ＋：１０秒後、１分後および３分後の評価結果のいずれかにＢがあるが、Ｃはなかった
Ｂ−：１０秒後、１分後および３分後の評価結果のいずれか一つが、Ｃであった
Ｃ  ：１０秒後、１分後および３分後の評価結果の二つ以上が、Ｃであった
【００５１】
（ｂ）長期カール評価
直後カール評価後の前記普通紙を、平らな台上に塗布面を上にしてのせて、塗布から１日後および７日後の前記普通紙の４隅の浮き上がり高さを測定し、長期カールを、下記の評価基準に従って評価した。なお、バーコーターによる全面塗布で長期カールが抑制されていれば、インクジェット記録においても、長期カールを抑制可能と判断できる。
【００５２】
長期カール評価（１日後および７日後）  評価基準
Ａ：４隅で最も浮いている箇所の浮き上がり高さが３０ｍｍ未満であった
Ｂ：４隅で最も浮いている箇所の浮き上がり高さが３０ｍｍ以上５０ｍｍ未満であった
Ｃ：４隅で最も浮いている箇所の浮き上がり高さが５０ｍｍ以上であった
【００５３】
長期カール評価（全体）  評価基準
Ａ  ：１日後および７日後の評価結果が、いずれもＡであった
Ｂ＋：１日後および７日後の評価結果の一方がＡ、他方がＢであった
Ｂ−：１日後および７日後の評価結果のいずれか一方が、Ｃであった
Ｃ  ：１日後および７日後の評価結果が、双方ともＣであった
【００５４】
（ｃ）総合評価
各水性インクについて、前記（ａ）および（ｂ）の結果から、下記の評価基準に従って総合評価を行った。
【００５５】
総合評価  評価基準
Ｇ  ：直後カール（全体）および長期カール（全体）の評価結果が、いずれもＣではなかった
ＮＧ：直後カール（全体）および長期カール（全体）の評価結果のいずれか、若しくは双方がＣではあった
【００５６】
実施例１〜１２および比較例１〜４の水性インクの組成および評価結果を、表１に示す。
【００５７】
【表１】
0005672440.tif 000004
【００５８】
表１に示すとおり、実施例１〜１２の水性インクでは、直後カール評価および長期カール評価の結果が、良好であった。特に、前記ポリエーテルアミンの配合量を３５重量％とした実施例５では、１０秒後の直後カールがより好適に抑制され、前記ポリエーテルアミンの配合量を３８重量％〜５０重量％とした実施例１〜４および９〜１２では、１０秒後の直後カールがさらに好適に抑制された。
【００５９】
一方、前記ポリエーテルアミンに代えてグリセリンを用いた比較例１および２では、直後カール評価および長期カール評価の結果が悪かった。
【００６０】
また、前記ポリエーテルアミンに代えてトリメチロールプロパンを用いた比較例３および４では、直後カールは若干抑制されたものの、長期カール評価の結果が悪かった。
【産業上の利用可能性】
【００６１】
以上のように、本発明の水性インクは、記録物のカールを充分に抑制可能で、増粘することもない。本発明の水性インクの用途は、特に限定されず、各種のインクジェット記録に広く適用可能である。
【符号の説明】
【００６２】
１        インクカートリッジ
２        インクジェットヘッド
４        ニップローラ
６、７    ベルトローラ
８        搬送ベルト
１１      給紙部
１１ａ    用紙ストッカ
１１ｂ    支持板
１１ｃ    ピックアップローラ
１２      排紙部
１３      ベルト搬送機構
１５      プラテン
１６      制御装置
Ｐ        記録用紙
５９      用紙検知センサ
１０１    インクジェット記録装置
【図１】
0005672440.tif 000007